(57)【要約】【課題】  インテグラルフォトグラフィを使った立体動画の撮影・表示装置の画質を改善する。【解決手段】  動画を表示する装置の表示面に蝿の目レンズシートを重ねて立体像を表示する装置において、蝿の目レンズシートに各凸レンズの透過・不透過を切り替える透過光制御手段を加え、透過部が不連続になる透過パターンと対応する表示画像を切り替えて、時分割で全レンズによる立体像を表示する。さらにこの装置で表示する画像は、ピンホールの並んだピンホール板に、各ピンホールの透過・不透過を切り替える透過光制御手段を加え、これを通して被写体の像を撮影する装置によって、ピンホールの透過パターンを表示装置に合わせて切り替えることで直接撮影することができる。【選択図】  図１
2008052010.tif 000002
【特許請求の範囲】
【請求項１】
表示内容を切り替え可能な画像表示手段に、面上に凸レンズが並んだレンズシートと、該レンズシートの各凸レンズの透過と不透過を切り替える透過光制御手段を重ねてなる表示装置であって、該透過光制御手段のパターンは、少なくとも一つの方向について連続することがないように一定の間隔で透過部が繰り返し、かつ時間の経過とともに透過部を切り替えて、所定の時間周期内に全ての凸レンズが一度ずつ透過の状態になるよう繰り返し、該画像表示手段には各瞬間に透過の状態にある凸レンズに合わせて小画像を並べて表示することを特徴とする立体像表示装置。
【請求項２】
面上にピンホールが並んでなるピンホール板と、該ピンホール板の各ピンホールの透過と不透過を切り替える透過光制御手段と、該ピンホール板を通る光を撮影レンズによって撮像面に投影して動画を撮影するカメラからなり、該ピンホール板を通して被写体の像を撮影する装置であって、該透過光制御手段のパターンは、少なくとも一つの方向について連続することがないように一定の間隔で透過部が繰り返し、一コマ撮影するとともに透過部を切り替えて、所定のコマ数内に全てのピンホールが一度ずつ透過の状態になるよう繰り返し、該撮像面は撮影レンズによって該ピンホール板のピンホール群の像が結ばれる位置より、所定の距離だけ撮影レンズに近い位置にあり、各ピンホールの通過光が撮像面上に像を形成し、かつ各コマで隣り合う像どうしが重なり合わないことを特徴とする立体像撮影装置。
【請求項３】
請求項２のピンホール板の撮影レンズ側に、該ピンホール板の各ピンホールと一対一に対応する凸レンズが並んだレンズシートを、該凸レンズの焦点距離より該ピンホール板に接近して置くことを特徴とする、請求項２に記載の立体像撮影装置。
【請求項４】
請求項２のピンホール板の被写体側に、該ピンホール板の各ピンホールと一対一に対応する凹レンズが並んだレンズシートを置くことを特徴とする、請求項２に記載の立体像撮影装置。
【請求項５】
表示内容を切り替え可能な画像表示手段に、面上にシリンドリカル凸レンズが並んだレンチキュラーレンズと、該レンチキュラーレンズの各シリンドリカル凸レンズの透過と不透過を切り替える透過光制御手段を重ねてなる表示装置であって、該透過光制御手段のパターンは透過部が連続することがないように一定の間隔で繰り返し、かつ時間の経過とともに透過部を切り替えて、所定の時間周期内に全てのシリンドリカル凸レンズが一度ずつ透過の状態になるよう繰り返し、該画像表示手段には各瞬間に透過の状態にあるシリンドリカル凸レンズに合わせて細画像を並べて表示することを特徴とする立体像表示装置。
【請求項６】
面上に平行なスリットが並んでなるスリット板と、該スリット板の各スリットの透過と不透過を切り替える透過光制御手段と、該スリット板を通る光を撮影レンズによって撮像面に投影して動画を撮影するカメラからなり、該スリット板を通して被写体の像を撮影する装置であって、該透過光制御手段のパターンは透過部が連続することがないように一定の間隔で繰り返し、一コマ撮影するとともに透過部を切り替えて、所定のコマ数内に全てのスリットが一度ずつ透過の状態になるよう繰り返し、該撮像面は撮影レンズによって該スリット板のスリット群の像が結ばれる位置より、所定の距離だけ撮影レンズに近い位置にあり、各スリットの通過光が撮像面上に細長い像を形成し、かつ各コマで隣り合う像どうしが重なり合わないことを特徴とする立体像撮影装置。
【請求項７】
請求項６のスリット板の撮影レンズ側に、該スリット板の各スリットと一対一に対応するシリンドリカル凸レンズが並んだレンチキュラーレンズを、該シリンドリカル凸レンズの焦点距離より該スリット板に接近して置くことを特徴とする、請求項６に記載の立体像撮影装置。
【請求項８】
請求項６のスリット板の被写体側に、該スリット板の各スリットと一対一に対応するシリンドリカル凹レンズが並んだレンチキュラーレンズを置くことを特徴とする、請求項６に記載の立体像撮影装置。
【発明の詳細な説明】
【技術分野】
【０００１】
本発明は、レンチキュラーレンズやレンズシートを使って表示する立体像を、より高品質で表示する装置と、対応する画像を撮影する装置に関する。
【背景技術】
【０００２】
インテグラルフォトグラフィの原理に基づきレンチキュラーレンズやレンズシートを使って立体像を表示する方法は、リアルな立体像を実現できる有望な手法として期待されているが、高画質や広い視域を確保するためには極めて解像度の高い元画像を必要とするという特徴がある。このため解像度の高い写真フィルムや印刷物などを元画像に使って静止画を表示する場合には、実用的な品質の立体像を表示することが可能であるが、動画の表示については、近年ＣＲＴ、液晶パネルやプラズマディスプレイなどの表示装置の性能は向上しているものの、そのまま元画像に使用して十分な画質と視域を確保するのは未だ困難である。
【０００３】
また、インテグラルフォトグラフィによる立体像の撮影には、そのままでは像の遠近感が逆転する偽立体像になってしまうという特有の問題が存在する。最近ではコンピューターを使ったＣＧで元画像を作成することが可能であるため撮影が必須でなくなり、撮影技術を伴わずに表示技術の開発が進む傾向があるが、情報の記録と伝達と言う意味からは、表示技術は対応する撮影技術を伴うことが望ましい。
【発明の開示】
【発明が解決しようとする課題】
【０００４】
本発明の課題は、解像度が限られた動画表示手段を使ってより高品質の立体像を表示する立体像表示装置を実現すること、及び同装置で表示するための元画像を撮影する立体像撮影装置を実現することである。
【課題を解決するための手段】
【０００５】
本発明の請求項１は、表示内容を切り替え可能な画像表示手段に、面上に凸レンズが並んだレンズシートと、該レンズシートの各凸レンズの透過と不透過を切り替える透過光制御手段を重ねてなる表示装置であって、該透過光制御手段のパターンは、少なくとも一つの方向について連続することがないように一定の間隔で透過部が繰り返し、かつ時間の経過とともに透過部を切り替えて、所定の時間周期内に全ての凸レンズが一度ずつ透過の状態になるよう繰り返し、該画像表示手段には各瞬間に透過の状態にある凸レンズに合わせて小画像を並べて表示することを特徴とする立体像表示装置である。
【０００６】
本発明の請求項２は、面上にピンホールが並んでなるピンホール板と、該ピンホール板の各ピンホールの透過と不透過を切り替える透過光制御手段と、該ピンホール板を通る光を撮影レンズによって撮像面に投影して動画を撮影するカメラからなり、該ピンホール板を通して被写体の像を撮影する装置であって、該透過光制御手段のパターンは、少なくとも一つの方向について連続することがないように一定の間隔で透過部が繰り返し、一コマ撮影するとともに透過部を切り替えて、所定のコマ数内に全てのピンホールが一度ずつ透過の状態になるよう繰り返し、該撮像面は撮影レンズによって該ピンホール板のピンホール群の像が結ばれる位置より、所定の距離だけ撮影レンズに近い位置にあり、各ピンホールの通過光が撮像面上に像を形成し、かつ各コマで隣り合う像どうしが重なり合わないことを特徴とする立体像撮影装置である。
【０００７】
本発明の請求項３は、請求項２のピンホール板の撮影レンズ側に、該ピンホール板の各ピンホールと一対一に対応する凸レンズが並んだレンズシートを、該凸レンズの焦点距離より該ピンホール板に接近して置くことを特徴とする、請求項２に記載の立体像撮影装置である。
【０００８】
本発明の請求項４は、請求項２のピンホール板の被写体側に、該ピンホール板の各ピンホールと一対一に対応する凹レンズが並んだレンズシートを置くことを特徴とする、請求項２に記載の立体像撮影装置である。
【０００９】
本発明の請求項５は、表示内容を切り替え可能な画像表示手段に、面上にシリンドリカル凸レンズが並んだレンチキュラーレンズと、該レンチキュラーレンズの各シリンドリカル凸レンズの透過と不透過を切り替える透過光制御手段を重ねてなる表示装置であって、該透過光制御手段のパターンは透過部が連続することがないように一定の間隔で繰り返し、かつ時間の経過とともに透過部を切り替えて、所定の時間周期内に全てのシリンドリカル凸レンズが一度ずつ透過の状態になるよう繰り返し、該画像表示手段には各瞬間に透過の状態にあるシリンドリカル凸レンズに合わせて細画像を並べて表示することを特徴とする立体像表示装置である。
【００１０】
本発明の請求項６は、面上に平行なスリットが並んでなるスリット板と、該スリット板の各スリットの透過と不透過を切り替える透過光制御手段と、該スリット板を通る光を撮影レンズによって撮像面に投影して動画を撮影するカメラからなり、該スリット板を通して被写体の像を撮影する装置であって、該透過光制御手段のパターンは透過部が連続することがないように一定の間隔で繰り返し、一コマ撮影するとともに透過部を切り替えて、所定のコマ数内に全てのスリットが一度ずつ透過の状態になるよう繰り返し、該撮像面は撮影レンズによって該スリット板のスリット群の像が結ばれる位置より、所定の距離だけ撮影レンズに近い位置にあり、各スリットの通過光が撮像面上に細長い像を形成し、かつ各コマで隣り合う像どうしが重なり合わないことを特徴とする立体像撮影装置である。
【００１１】
本発明の請求項７は、請求項６のスリット板の撮影レンズ側に、該スリット板の各スリットと一対一に対応するシリンドリカル凸レンズが並んだレンチキュラーレンズを、該シリンドリカル凸レンズの焦点距離より該スリット板に接近して置くことを特徴とする、請求項６に記載の立体像撮影装置である。
【００１２】
本発明の請求項８は、請求項６のスリット板の被写体側に、該スリット板の各スリットと一対一に対応するシリンドリカル凹レンズが並んだレンチキュラーレンズを置くことを特徴とする、請求項６に記載の立体像撮影装置である。
【発明の効果】
【００１３】
本発明の立体像表示装置によれば、ＣＲＴや液晶パネルなど動画を再生可能なディスプレイの表示面に、蝿の目レンズシートやレンチキュラーレンズを重ねて立体像を再生する装置において、有効なレンズを所定のパターンに分け、順次切り替え時分割で表示することにより各レンズに対応する単位画像の面積を増やし、これによって表示像の解像度や視域角を改善することが出来る。
【００１４】
また本発明の立体像撮影装置によれば、本発明の立体像表示装置によって表示する元画像を一台のカメラによって直接撮影することが出来、複数のカメラによる撮影と画像の合成を必要としない。このため本発明によれば、立体像の撮影から表示まで一貫したシステムを構成することが可能である。
【発明を実施するための最良の形態】
【００１５】
図１に本発明請求項１の立体像表示装置の例を斜視図をもって示す。本装置は表示内容を切り替え可能な画像表示手段に液晶パネル１を用い、これに透明板４と液晶シャッター２、凸レンズが面上に並んだ（蝿の目）レンズシート３を重ねている。ここで透過と不透過を切り替える透過光制御手段には液晶シャッター２を使っているが、現時点ではこれが最も現実的な選択で、原理的にはメカニカルなシャッターも使用可能ではあるが、反応スピードや加工技術の難しさを考えると実用的ではない。液晶シャッター２はレンズシート３の各凸レンズと一対一に対応する小さなシャッターが並んだもので、各凸レンズの透過光を個別にオン・オフすることができる。
【００１６】
図２を使って本表示装置の作用を説明する。液晶パネルにレンズシート６を重ねたのみの通常の表示装置では、図２（１）のように液晶パネルの表示面５に表示する単位画像の大きさはレンズピッチに等しくしなければならず、視域角θもこれによって制限される。これに対して本発明の表示装置では、例えば図２（２）のように液晶シャッター２の透過部を一つおきに並べ、斜線で示した不透過部を作ることで表示面７に表示する単位画像の大きさをレンズピッチの倍にすることが出来、その結果視域角φを倍近く大きくとることが出来る。もちろんこのままでは解像度が１／２になってしまうが、次の瞬間に液晶シャッター２の透過部と不透過部を逆転し、それに伴い表示面７の内容も換えれば（１）と同じ解像度の像が時分割で表示できることになり、これを高速で繰り返せば解像度の低下も起こらなくなる。以上は本発明の効果を視域角の拡大として説明したが、視域と解像度はトレードオフの関係なので本発明を解像度の改善につなげることも出来る。例えば図２の例で（２）のレンズピッチを１／２とすれば視域角は変わらず解像度が倍になるし、もちろんその効果を視域と解像度の両方にバランス良く割り振ることも可能である。
【００１７】
さらに液晶シャッター２の二次元的なパターンの例を図３と図４を使って説明する。図３は二つの相補的な透過パターンを切り替える例を示したものである。液晶シャッター２には配線部などの不透過部８に囲まれるように開口部が並んでいるが、（ａ）と（ｂ）はいずれも市松模様のパターンで半分の開口部が透過状態になり、（ａ）では開口部９がオン（透過）、開口部１０がオフ（不透過）であるのに対し、（ｂ）では開口部９がオフ、開口部１０がオンと逆転している。各開口部はそれぞれ対応する凸レンズの透過・不透過を制御しており、各レンズに対応する単位画像の境界を点線で示したとおり、単位画像の幅はレンズ（及び開口部の）ピッチの２倍になる。なおここでは横に長い単位画像を選択しているが、市松模様のパターンでは縦に長い単位画像を選択することもできる。ただ一般に立体像は横（水平）の視域を広くとることが望まれるため、通常は横に長い単位画像をとることが望ましい。（ａ）と（ｂ）の状態を短時間に切り替えれば全ての凸レンズによって立体像が完成され、これを繰り返して動画を表示する。
【００１８】
単位画像の拡大方向が一方向に限られる場合には、液晶シャッター２の透過パターンはストライプ状であってもかまわない。この際には液晶シャッター自体をストライプ状のものとする事が出来るため製作も容易となる。ただ瞬間的にはストライプ状の像が見えることになるため、切り替えスピードが遅めの時には縞模様が見えてちらつき感を生じる恐れがある。
【００１９】
図４は四つの透過パターンを切り替える例である。（Ａ）〜（Ｄ）はそれぞれ開口部の１／４が透過の状態にあり、その境界を点線で示したように単位画像の幅は縦横にレンズ（及び開口部の）ピッチの２倍になり、面積は４倍になる。この結果視域も縦横に２倍になり、（Ａ）〜（Ｄ）を短時間で切り替えて表示することによりレンズピッチで決まる解像度で立体像が表示される。先に説明した通り解像度と視域はトレードオフの関係なので、視域を欲張らなければ、本発明の効果を解像度を上げることに役立てることもできる。
【００２０】
以上ここでは二つ及び四つの透過パターンを切り替える例を説明したが、一般化すればＮ×Ｍの開口部の一つを透過としてＮ×Ｍ通りの透過パターンを切り替える方法が使用できる。ただ表示装置と液晶シャッターの応答速度には限りがあるため、あまり切り替え数が大きくなると表示像のちらつき感が強くなって好ましくない。実際には使用する部品の応答速度や解像度を考慮してバランスの良い選択を行う必要がある。
【００２１】
請求項１の立体像表示装置において、透過光制御手段は各凸レンズの透過・不透過を制御するためレンズシートに密着して置かれなければならない。図１の実施例では液晶シャッター２をレンズシート３の裏面に密着するように置いているが、スペースの問題でこれが困難であればレンズシートの表面の側に置いても良い。図５にこの様子を断面図で示したが、表示面１１の上にレンズシート１２を重ね、さらに液晶シャッター１３をのせる構成で図２（２）と同じ機能を果たしていることがわかる。この場合にはレンズシート１２にある程度の厚みのあるものが使え、また図１より部品点数が一つ少ないというメリットもある。
【００２２】
図６に本発明請求項２の立体像撮影装置の光学系を斜視図をもって示す。ここではその光学系のみを表し、光学系を収納する暗箱や構造材は省略する。本光学系は面上にピンホールが並んだピンホール板１４と液晶シャッター１５、絞り１６、撮影レンズ１７、撮像面１８とからなり、被写体からの光を、ピンホール板１４と液晶シャッター１５を通し、撮影レンズ１７によって撮像面１８に投影して撮影するもので、撮像面１８はCCD撮像素子の撮像面などである。ここで液晶シャッター１５はピンホール板１４の各ピンホールの透過・不透過を図３、図４に説明したパターンのように制御している。撮影レンズ１７の焦点距離をｆとすると、平面図を図７に示す通り１／ｆ＝１／Ａ＋１／Ｂを満たす位置に、撮影レンズ１７によるピンホール板１４のピンホール２１の像２２が結ばれるが、撮像面１８をＢよりｄだけ撮影レンズ１７に近い位置に置くと、撮像面１８にはピンホール板１４のピンホール２１によって形成されるピンホールカメラの像が投影されることになる。結果として撮像面１８にはピンホール板１４の各ピンホールに対応する小さなピンホールカメラ像が並ぶが、撮影レンズ１７と絞り１６による瞳の幅をＲ、透過の状態にある隣り合うピンホールの間隔をｐとするとき、Ｒｄ／Ｂ ≦ ｐ（Ｂ−ｄ）／Ａ  すなわち  ｄ ＝ ｐＢ（Ｂ−ｄ）／ＡＲであれば隣り合うピンホールカメラ像が重ならず、かつ隙間もなく並ぶことになる。このようにして撮像面１８で撮影された像は、インテグラルフォトグラフィで言う正しい立体像の条件を満たしており、あとは液晶シャッター１５のパターンを請求項１の表示装置の液晶シャッター２や１３に合わせて切り替えれば、それぞれのパターンに対応する元画像が撮影できることになる。
【００２３】
なお図６、図７のレンズ１９はフィールドレンズのような働きをするもので、撮影される立体像の視域を調整する機能を有する。これ無しでは絞り１６の位置に絞りの形状に等しい視域を持つ立体像になるが、レンズ１９を置くことで、レンズ１９による絞りの像の位置に視域が移動しその面積も若干広くなる。ただ図６、図７の装置で撮影出来る視域は撮影レンズ１７の口径によって制限されるため、視域の大きな立体像を撮影するためには撮影レンズ１７に大口径かつ厚肉な高性能レンズを使わなければならず、実際にはこのままで視域の大きな立体像を撮ることはかなり難しい。そこで請求項３および請求項４ではピンホール板にレンズシートを組み合わせることでこの問題を改善し、視域角の大きな立体像の撮影を容易にすることを可能にした。
【００２４】
ピンホール板１４にレンズシートを組み合わせる様子を図８に示した。ここで（ａ）は凸レンズを面上に並べたレンズシート２３を撮影レンズ１７側に置く請求項３の例を部分図で示したもので、図の右側が撮影レンズ１７のある側であり、左側が被写体２０のある側である。レンズシート２３の各凸レンズはピンホール板１４の各ピンホールと一対一に対応し、凸レンズの作用によって被写体側から角度αでピンホールに入る光をαより小さい角度βの光に変換する。ここで角度αが撮影像の視域角、角度βが撮影レンズで撮影可能な角度範囲であると考えれば、撮影可能な角度範囲が小さくとも、レンズシート２３の各凸レンズの働きによって大きな視域角の立体像を撮影することが可能になることが分かる。なおレンズシート２３はピンホール板１４から各凸レンズの焦点距離より短い距離に置かれなければならない。もし焦点距離に等しい距離に置かれるとβ＝０となって本発明の原理が成り立たず、また焦点距離より遠い距離に置かれるとβが負になり、像が倒立してしまうため好ましくない。この際液晶シャッター１５は被写体側におけば邪魔にならない。
【００２５】
さらに図８（ｂ）は凹レンズを面上に並べたレンズシート２４を被写体側に置く請求項４の例を部分図で示したもので、同様に右側が撮影レンズ１７のある側、左側が被写体２０のある側である。レンズシート２４の各凹レンズはピンホール板１４の各ピンホールと一対一に対応し、凹レンズの作用によって被写体側から角度αでピンホールに入る光をαより小さい角度βの光に変換する。あとは請求項３と同様の理屈で、撮影可能な角度範囲が小さくとも、レンズシート２４の各凹レンズの働きによって大きな視域角の立体像を撮影することが可能になることが分かる。凹レンズには凸レンズのような距離条件はないが、ピンホールと一対一の対応関係が崩れるほど、ピンホール板１４から離しすぎては好ましくないため、この点に留意して適当な位置を決めればよい。また液晶シャッター１５はレンズシート２４の反対側、すなわち撮影レンズ１７の側に置けば邪魔にならず好ましい。
【００２６】
請求項１〜４の立体像表示装置と撮影装置の原理は、レンチキュラーレンズを使った立体像の表示と撮影にも容易に応用できる。図９は請求項１の原理を応用した請求項５の立体像表示装置の実施例を射視図によって示したものである。レンズシートがレンチキュラーレンズ２７に変わり、液晶シャッター２６がストライプ状のものになった事以外は図１の表示装置と同じで、液晶シャッター２６の透過パターンは例えば図１０に示した（ａ）（ｂ）のように切り替えて表示する。ここで隣り合う開口部３０，３１の透過・不透過が交互に切り替わり、対応する細画像は点線で示した境界を持ってレンズピッチの倍の幅を持つことになる。このときのｘｚ断面図は図２（２）と全く同じであり、同様の原理で視域が拡大されることがわかる。ストライプ状の液晶シャッターでは配線部２９もストライプ状になるため、開口率が大きくとれて若干明るくなるという利点もある。ここでは二つの透過パターンを切り替える例を説明したが、一般化すれば開口部を周期Ｎで透過とし、間を不透過とするＮ通りの透過パターンを切り替える方法が使用できる。
【００２７】
さらに請求項５の立体像表示装置で表示する元画像は請求項６の撮影装置で撮影することが出来る。図１１に請求項６の立体像撮影装置の光学系を斜視図をもって示した。本光学系は面上に平行な縦のスリットが並んだスリット板３２と液晶シャッター３３、絞り３４、撮影レンズ３５、撮像面３６とからなり、被写体からの光を、スリット板３２と液晶シャッター３３を通し、撮影レンズ３５によって撮像面３５に投影して撮影するものである。ここで液晶シャッター３３はスリット板３２に対応して図１０のようなストライプ状の開口部を持ち、絞り３４は縦に幅を絞って被写界深度を大きくしている。本装置のｘｚ平面図は図７と等価になり、撮影像はｘ軸方向にはインテグラルフォトグラフィで言う正しい立体像となる。一方ｙ軸方向には通常の平面像の性質になるから、これはレンチキュラーレンズで表示できる立体像になり、あとは液晶シャッターの透過パターンを表示装置に対応するように切り替えて撮影する。
【００２８】
加えて撮影装置の視域を拡大するためには請求項３及び請求項４の原理を応用することが出来、シリンドリカル凸レンズが並んだレンチキュラーレンズをスリット板３２の撮影レンズ３５側に置く（請求項７）か、シリンドリカル凹レンズが並んだレンチキュラーレンズをスリット板３２の被写体側に置けば（請求項８）良い。この場合のｘｚ平面図は図８と等価になる。
【産業上の利用可能性】
【００２９】
本発明は表示内容を切り替え可能な装置を使って表示することを前提とするため、基本的に動画の立体像を撮影・表示する立体映画や立体テレビに利用できる可能がある。
【図面の簡単な説明】
【００３０】
【図１】請求項１による立体像表示装置の実施例である。
【図２】請求項１の原理を説明する断面図である。
【図３】図１の装置における液晶シャッターの透過パターンの一例である。
【図４】図１の装置における液晶シャッターの透過パターンの他の例である。
【図５】請求項１の他の形態を説明する断面図である。
【図６】請求項２による立体像撮影装置の光学系である。
【図７】図６に示した光学系のｙｚ平面図である。
【図８】請求項３及び請求項４を説明する部分断面図である。
【図９】請求項５による立体像表示装置の実施例である。
【図１０】図９の装置における液晶シャッターの透過パターンの一例である。
【図１１】請求項６による立体像撮影装置の光学系である。
【符号の説明】
【００３１】
１  ・・・  液晶パネル
２，１３  ・・・  液晶シャッター
３  ・・・  凸レンズが並んだレンズシート
４  ・・・  透明板
５，７，１１  ・・・  表示面
６，１２  ・・・  凸レンズが並んだレンズシート
８  ・・・  液晶シャッターの配線部
９，１０  ・・・  開口部
１４  ・・・  ピンホール板
１５  ・・・  液晶シャッター
１６  ・・・  絞り
１７  ・・・  撮影レンズ
１８  ・・・  撮像面
１９  ・・・  凸レンズ
２０  ・・・  被写体
２１  ・・・  ピンホール
２２  ・・・  ピンホールの像
２３  ・・・  凸レンズが並んだレンズシート
２４  ・・・  凹レンズが並んだレンズシート
２５  ・・・  液晶パネル
２６  ・・・  液晶シャッター
２７  ・・・  レンチキュラーレンズ
２８  ・・・  透明板
２９  ・・・  液晶シャッターの配線部
３０，３１  ・・・  開口部
３２  ・・・  スリット板
３３  ・・・  液晶シャッター
３４  ・・・  絞り
３５  ・・・  撮影レンズ
３６  ・・・  撮像面
３７  ・・・  凸レンズ
【図１】
2008052010.tif 000003
【図２】
2008052010.tif 000004
【図３】
2008052010.tif 000005
【図４】
2008052010.tif 000006
【図５】
2008052010.tif 000007
【図６】
2008052010.tif 000008
【図７】
2008052010.tif 000009
【図８】
2008052010.tif 000010
【図９】
2008052010.tif 000011
【図１０】
2008052010.tif 000012
【図１１】
2008052010.tif 000013